(57)【特許請求の範囲】
【請求項１】
ハウジングであって、前記ハウジング内にダクトが形成され、前記ダクトの吹き出し口に、対向配置される前壁面及び後壁面を有する前記ハウジングと、
第１ウィンドデフレクターであって、第１ピボットで前記ハウジングに回転可能に設けられ、前記第１ピボットが前記後壁面に隣接して配置される前記第１ウィンドデフレクターと、
第２ウィンドデフレクターであって、第２ピボットで前記ハウジングに回転可能に設けられ、前記第２ピボットが前記第１ピボットと前記前壁面との間に位置し、前記第２ピボットに近い前記第２ウィンドデフレクターの縁部が前記第１ピボットから離れた前記第１ウィンドデフレクターの縁部と接続する前記第２ウィンドデフレクターと、
第３ウィンドデフレクターであって、第３ピボットでハウジングに回転可能に設けられ、前記第３ピボットが前記前壁面に隣接して配置され、前記第３ウィンドデフレクターには厚み方向に沿って若干の散気孔が設けられる前記第３ウィンドデフレクターと、を備え、
無風感モードにおいて、
前記第１ウィンドデフレクター及び前記第２ウィンドデフレクターともに、風が体に直接当たらないように、水平方向と略平行な位置まで回転した後に、前記第１ウィンドデフレクターを上へ回転し、前記第１ウィンドデフレクターの先端と前記第２ウィンドデフレクターの後端とを気密的に係合させた状態において、前記第３ウィンドデフレクターを、風の流れ面まで回転し、前記第２ウィンドデフレクターの上側の通風路を遮断し、前記散気孔から送り出された気流を分散させる、
空気調和機の室内機。
【請求項２】
前記第２ウィンドデフレクターは風ガイド部、及び前記風ガイド部の前記第２ピボットに近い側に設けられる尾翼を含み、前記尾翼と前記風ガイド部とが階段状に配置されてキャビティを形成し、前記第１ウィンドデフレクターの先端が前記キャビティ内まで回転することができる請求項１に記載の空気調和機の室内機。
【請求項３】
前記第２ピボットから離れた前記風ガイド部の側縁と前記第２ピボットに近い前記風ガイド部の側縁との間の幅がＷであり、Ｗ∈［１００ｍｍ，３００ｍｍ］である請求項２に記載の空気調和機の室内機。
【請求項４】
前記第１ピボットから離れた前記第１ウィンドデフレクターの一端に第１傾斜面が設けられ、前記第１傾斜面は前記第１ウィンドデフレクターの風上側から、前記第１ピボットから斜めに離れて延在してなり、前記第２ピボットに近い前記第２ウィンドデフレクターの一端に前記第１傾斜面に合わせた第２傾斜面が設けられる請求項１に記載の空気調和機の室内機。
【請求項５】
前記第２ウィンドデフレクターは風ガイド部、及び前記風ガイド部の前記第２ピボットに近い側に設けられる尾翼を含み、前記尾翼と前記風ガイド部とが階段状に配置されてキャビティを形成し、前記第１ウィンドデフレクターの先端が前記キャビティ内まで回転することができる請求項４に記載の空気調和機の室内機。
【請求項６】
前記第２ピボットから離れた前記風ガイド部の側縁と前記第２ピボットに近い前記風ガイド部の側縁との間の幅はＷであり、Ｗ∈［１００ｍｍ，３００ｍｍ］である請求項５に記載の空気調和機の室内機。
【請求項７】
前記第１ピボットは前記後壁面の接線方向の延長面に位置するか、又は前記第１ピボットは前記後壁面の接線方向の延長面の前記前壁面とは反対側に位置する請求項１に記載の空気調和機の室内機。
【請求項８】
前記第２ウィンドデフレクターは風ガイド部、及び前記風ガイド部の前記第２ピボットに近い側に設けられる尾翼を含み、前記尾翼と前記風ガイド部とが階段状に配置されてキャビティを形成し、前記第１ウィンドデフレクターの先端が前記キャビティ内まで回転することができる請求項７に記載の空気調和機の室内機。
【請求項９】
前記第２ピボットから離れた前記風ガイド部の側縁と前記第２ピボットに近い前記風ガイド部の側縁との間の幅がＷであり、Ｗ∈［１００ｍｍ，３００ｍｍ］である請求項８に記載の空気調和機の室内機。
【請求項１０】
前記第１ウィンドデフレクター及び／又は前記第２ウィンドデフレクターに断熱層が設けられる請求項１に記載の空気調和機の室内機。
【請求項１１】
前記断熱層は前記第１ウィンドデフレクター及び前記第２ウィンドデフレクターの風上側に設けられる請求項１０に記載の空気調和機の室内機。
【請求項１２】
前記前壁面に収容溝が凹んで配置され、前記第３ウィンドデフレクターが前記前壁面に回転可能に接続され、かつ前記収容溝内に収容可能であることを特徴とする請求項１に記載の空気調和機の室内機。
【請求項１３】
空気調和機の室内機の制御方法であって、前記空気調和機の室内機は、
ハウジングであって、前記ハウジング内にダクトが形成され、前記ダクトの吹き出し口に、対向配置される前壁面及び後壁面を有する前記ハウジングと、
第１ウィンドデフレクターであって、第１ピボットで前記ハウジングに回転可能に設けられ、前記第１ピボットが前記後壁面に隣接して配置される前記第１ウィンドデフレクターと、
第２ウィンドデフレクターであって、第２ピボットで前記ハウジングに回転可能に設けられ、前記第２ピボットが前記第１ピボットと前記前壁面との間に位置し、前記第２ピボットに近い前記第２ウィンドデフレクターの縁部が前記第１ピボットから離れた前記第１ウィンドデフレクターの縁部と接続する前記第２ウィンドデフレクターと、
第３ウィンドデフレクターであって、第３ピボットでハウジングに回転可能に設けられ、前記第３ピボットが前記前壁面に隣接して配置され、前記第３ウィンドデフレクターには厚み方向に沿って若干の散気孔が設けられる前記第３ウィンドデフレクターと、を備え、
前記空気調和機の室内機は無風感モード、冷房モード及び暖房モードを有し、前記制御方法は、
Ｓ１：空気調和機の室内機を起動して、気流吹き出しモードを選択するステップと、
Ｓ２：無風感モードを選択する場合、前記第１ウィンドデフレクター及び前記第２ウィンドデフレクターともに、風が体に直接当たらないように、水平方向と略平行な位置まで回転した後に、前記第１ウィンドデフレクターを上へ回転し、前記第１ウィンドデフレクターの先端と前記第２ウィンドデフレクターの後端とを気密的に係合させた状態において、前記第３ウィンドデフレクターを、風の流れ面まで回転し、前記第２ウィンドデフレクターの上側の通風路を遮断し、前記散気孔から送り出された気流を分散させるステップと、
Ｓ３：冷房モードを選択する場合、前記第１ウィンドデフレクターを回転して、気流を前記第２ウィンドデフレクターにガイドするステップと、
Ｓ４：暖房モードを選択する場合、前記第１ウィンドデフレクター及び前記第２ウィンドデフレクターを回転して、気流を下方へ吹き出すステップと、を含む空気調和機の室内機の制御方法。
【請求項１４】
前記空気調和機の室内機の無風感モードは無風感の第１〜第３段階を含み、
無風感の第１段階には、前記第１ウィンドデフレクター及び前記第２ウィンドデフレクターともに、風が体に直接当たらないように、水平方向と略平行な位置まで回転する段階が含まれ、
無風感の第２段階には、前記第１ウィンドデフレクターを上へ回転し、前記第１ウィンドデフレクターの先端と前記第２ウィンドデフレクターの後端とを気密的に係合させる段階が含まれ、
無風感の第３段階には、前記第３ウィンドデフレクターを、風の流れ面まで回転し、前記第２ウィンドデフレクターの上側の通風路を遮断し、前記散気孔から送り出された気流を分散させる段階が含まれ、
無風感の第１段階では、前記第２ウィンドデフレクターの上下両側に２つの通風路が形成され、前記空気調和機の室内機はさらに検出制御ユニットを備え、前記検出制御ユニットが室内の温度又は湿度を検出し、プリセット条件に従って対応する無風感段階に入ることを選択するように前記空気調和機の室内機を制御する請求項１３に記載の空気調和機の室内機の制御方法。
【請求項１５】
室内温度又は湿度が第１プリセット条件に達した場合、前記検出制御ユニットは無風感の第２段階に入るように前記空気調和機の室内機を制御し、
室内温度又は湿度が前記第１プリセット条件を満たさない場合、前記検出制御ユニットは無風感の第１段階に戻すように前記空気調和機の室内機を制御し、
室内温度又は湿度が第２プリセット条件に達した場合、前記検出制御ユニットは無風感の第３段階に入るように前記空気調和機の室内機を制御する請求項１４に記載の空気調和機の室内機の制御方法。
【請求項１６】
無風感の第１段階では、前記第３ウィンドデフレクターが前記前壁面に密着して設けられる請求項１４に記載の空気調和機の室内機の制御方法。
【発明の詳細な説明】
【技術分野】
【０００１】
本出願は空気調和機の技術分野に関し、特に空気調和機の室内機及び該空気調和機の室内機に用いられる制御方法に関する。
【背景技術】
【０００２】
生活水準の向上に伴い、空気調和機は多くの家庭で欠かせない家電の一つとなっている。従来の空気調和機のほとんどは、室内の周囲温度を快適な範囲内に維持するために、冷房と暖房の両方の機能を備えている。空気調和機の冷房モード又は暖房モードが長時間続くと、冷風又は温風が長時間体に直接当たるため、ユーザーに不快感を与えることがある。上記の欠点を克服するために、無風感機能を備える空気調和機が市場に出たが、無風感機能を実現するとともに、長距離送風及び足元の暖めなどの機能を失うことが多く、それによってユーザー体験の快適さを大幅に低下させた。したがって、従来の空気調和機は、冷房、暖房、及び無風感機能を効果的に両立させることが困難である。
【発明の概要】
【発明が解決しようとする課題】
【０００３】
本出願の主な目的は、冷房、暖房、及び無風感機能を効果的に両立させて、ユーザー体験の快適さを真に向上させるための空気調和機の室内機を提供することである。
【課題を解決するための手段】
【０００４】
上記目的を達成するために、本出願で提供する空気調和機の室内機は、
ハウジングであって、前記ハウジング内にダクトが形成され、前記ダクトの吹き出し口に、対向配置される前壁面及び後壁面を有する前記ハウジングと、第１ウィンドデフレクターであって、第１ピボットで前記ハウジングに回転可能に設けられ、前記第１ピボットが前記後壁面に隣接して配置される前記第１ウィンドデフレクターと、第２ウィンドデフレクターであって、第２ピボットで前記ハウジングに回転可能に設けられ、前記第２ピボットが前記第１ピボットと前記前壁面との間に位置し、前記第２ピボットに近い前記第２ウィンドデフレクターの縁部が前記第１ピボットから離れた前記第１ウィンドデフレクターの縁部と接続する前記第２ウィンドデフレクターと、第３ウィンドデフレクターであって、第３ピボットでハウジングに回転可能に設けられ、前記第３ピボットが前記前壁面に隣接して配置され、前記第３ウィンドデフレクターには厚み方向に沿って若干の散気孔が設けられる前記第３ウィンドデフレクターとを備え、無風感モードにおいて、前記第１ウィンドデフレクター及び前記第２ウィンドデフレクターともに、風が体に直接当たらないように、水平方向と略平行な位置まで回転した後に、前記第１ウィンドデフレクターを上へ回転し、前記第１ウィンドデフレクターの先端と前記第２ウィンドデフレクターの後端とを気密的に係合させた状態において、前記第３ウィンドデフレクターを、風の流れ面まで回転し、前記第２ウィンドデフレクターの上側の通風路を遮断し、前記散気孔から送り出された気流を分散させる。
【０００５】
好ましくは、前記第２ウィンドデフレクターは風ガイド部、及び前記風ガイド部の前記第２ピボットに近い側に設けられる尾翼を含み、前記尾翼と前記風ガイド部とが階段状に配置されてキャビティを形成し、前記第１ウィンドデフレクターの先端が前記キャビティ内まで回転することができる。
【０００６】
好ましくは、前記第２ピボットから離れた前記風ガイド部の側縁と前記第２ピボットに近い前記風ガイド部の側縁との間の幅がＷであり、Ｗ∈［１００ｍｍ，３００ｍｍ］である。
【０００７】
好ましくは、前記第１ピボットから離れた前記第１ウィンドデフレクターの一端に第１傾斜面が設けられ、前記第１傾斜面は前記第１ウィンドデフレクターの風上側から、前記第１ピボットから斜めに離れて延在してなり、前記第２ピボットに近い前記第２ウィンドデフレクターの一端に前記第１傾斜面に合わせた第２傾斜面が設けられる。
【０００８】
好ましくは、前記第２ウィンドデフレクターは風ガイド部、及び前記風ガイド部の前記第２ピボットに近い側に設けられる尾翼を含み、前記尾翼と前記風ガイド部とが階段状に配置されてキャビティを形成し、前記第１ウィンドデフレクターの先端が前記キャビティ内まで回転することができる。
【０００９】
好ましくは、前記第２ピボットから離れた前記風ガイド部の側縁と前記第２ピボットに近い前記風ガイド部の側縁との間の幅はＷであり、Ｗ∈［１００ｍｍ，３００ｍｍ］である。
【００１０】
好ましくは、前記第１ピボットは前記後壁面の接線方向の延長面に位置するか、又は前記第１ピボットは前記後壁面の接線方向の延長面の前記前壁面とは反対側に位置する。
【００１１】
好ましくは、前記第２ウィンドデフレクターは風ガイド部、及び前記風ガイド部の前記第２ピボットに近い側に設けられる尾翼を含み、前記尾翼と前記風ガイド部とが階段状に配置されてキャビティを形成し、前記第１ウィンドデフレクターの先端が前記キャビティ内まで回転することができる。
【００１２】
好ましくは、前記第２ピボットから離れた前記風ガイド部の側縁と前記第２ピボットに近い前記風ガイド部の側縁との間の幅がＷであり、Ｗ∈［１００ｍｍ，３００ｍｍ］である。
【００１３】
好ましくは、前記第１ウィンドデフレクター及び／又は前記第２ウィンドデフレクターに断熱層が設けられる。
【００１４】
好ましくは、前記断熱層は前記第１ウィンドデフレクター及び前記第２ウィンドデフレクターの風上側に設けられる。
【００１５】
好ましくは、前記前壁面に収容溝が凹んで配置され、前記第３ウィンドデフレクターが前記前壁面に回転可能に接続され、かつ前記収容溝内に収容可能である。
【００１６】
本出願はさらに空気調和機の室内機の制御方法を提供し、前記空気調和機の室内機は、ハウジングであって、前記ハウジング内にダクトが形成され、前記ダクトの吹き出し口に、対向配置される前壁面及び後壁面を有する前記ハウジングと、第１ウィンドデフレクターであって、第１ピボットで前記ハウジングに回転可能に設けられ、前記第１ピボットが前記後壁面に隣接して配置される前記第１ウィンドデフレクターと、第２ウィンドデフレクターであって、第２ピボットで前記ハウジングに回転可能に設けられ、前記第２ピボットが前記第１ピボットと前記前壁面との間に位置し、前記第２ピボットに近い前記第２ウィンドデフレクターの縁部が前記第１ピボットから離れた前記第１ウィンドデフレクターの縁部と接続する前記第２ウィンドデフレクターと、第３ウィンドデフレクターであって、第３ピボットでハウジングに回転可能に設けられ、前記第３ピボットが前記前壁面に隣接して配置され、前記第３ウィンドデフレクターには厚み方向に沿って若干の散気孔が設けられる前記第３ウィンドデフレクターと、を備え、前記空気調和機の室内機は無風感モード、冷房モード及び暖房モードを有し、前記制御方法は、Ｓ１：空気調和機の室内機を起動して、気流吹き出しモードを選択するステップと、Ｓ２：無風感モードを選択する場合、前記第１ウィンドデフレクター及び前記第２ウィンドデフレクターともに、風が体に直接当たらないように、水平方向と略平行な位置まで回転した後に、前記第１ウィンドデフレクターを上へ回転し、前記第１ウィンドデフレクターの先端と前記第２ウィンドデフレクターの後端とを気密的に係合させた状態において、前記第３ウィンドデフレクターを風の流れ面まで回転し、前記第２ウィンドデフレクターの上側の通風路を遮断し、前記散気孔から送り出された気流を分散させるステップと、Ｓ３：冷房モードを選択する場合、前記第１ウィンドデフレクターを回転して、気流を前記第２ウィンドデフレクターにガイドするステップと、Ｓ４：暖房モードを選択する場合、前記第１ウィンドデフレクター及び前記第２ウィンドデフレクターを回転して、気流を下方へ吹き出すステップと、を含む。
【００１７】
好ましくは、前記空気調和機の室内機の無風感モードは少なくとも無風感の第１段階を含み、無風感の第１段階では、前記第１ウィンドデフレクター及び前記第２ウィンドデフレクターを回転して、前記第２ウィンドデフレクターの上下両側に２つの通風路が形成され、前記空気調和機の室内機はさらに検出制御ユニットを備え、前記検出制御ユニットが室内の温度又は湿度を検出し、プリセット条件に従って対応する無風感段階に入ることを選択するように前記空気調和機の室内機を制御する。
【００１８】
好ましくは、前記空気調和機の室内機の無風感モードはさらに無風感の第２段階を含み、無風感の第２段階では、前記第１ウィンドデフレクターを上へ回転して、前記第１ウィンドデフレクターの先端と前記第２ウィンドデフレクターの後端とを気密的に係合させる。
【００１９】
好ましくは、前記空気調和機の室内機の無風感モードはさらに無風感の第３段階を含み、無風感の第３段階では、前記第３ウィンドデフレクターが風の流れ面まで下方へ回転する。
【００２０】
好ましくは、室内温度又は湿度が第１プリセット条件に達した場合、前記検出制御ユニットは無風感の第２段階に入るように前記空気調和機の室内機を制御し、室内温度又は湿度が前記第１プリセット条件を満たさない場合、前記検出制御ユニットは無風感の第１段階に戻すように前記空気調和機の室内機を制御し、室内温度又は湿度が第２プリセット条件に達した場合、前記検出制御ユニットは無風感の第３段階に入るように前記空気調和機の室内機を制御する。
【００２１】
好ましくは、無風感の第１段階では、前記第３ウィンドデフレクターが前記前壁面に密着して設けられる。
【００２２】
本出願の技術的手段は空気調和機の室内機のハウジングに第１ウィンドデフレクター、第２ウィンドデフレクター及び第３ウィンドデフレクターを設け、第１ウィンドデフレクター、第２ウィンドデフレクター及び第３ウィンドデフレクターの協働により、空気調和機は、冷房モード、暖房モード及び無風感モードでも、より良い使用効果を達成することができ、ユーザー体験を改善させた。
【００２３】
具体的には、冷房モードでは、第１ウィンドデフレクターがダクトの後壁面の接線方向の延長面とほぼ一致する位置まで回転可能であり、これはダクトを延長したと同等で、送風距離を効果的に増加させ、より良い冷房効果を得ることができ、第２ウィンドデフレクターが第１ウィンドデフレクターと実質的に平行になるように回転してダクトをさらに延長することができ、また吹き出し口の気流吹き出し領域内に回転して風向きを変えることができ、これによってユーザーがより多くの選択肢を持つようになった。暖房モードでは、第１ウィンドデフレクター、第２ウィンドデフレクター及第３ウィンドデフレクターは互いに協働して気流を下方へ吹き出すことができ、それにより暖かい気流をできるだけ床面にガイドし、足元を暖めることを達成する。無風感モードでは、第１ウィンドデフレクター、第２ウィンドデフレクター及び第３ウィンドデフレクターが互いに協働して気流を体に直接当てることなく、水平に吹き出し、また第３ウィンドデフレクターの回転位置をさらに調整して、気流を第３ウィンドデフレクターの散気孔から吹き出し、より良い無風感機能を達成することができる。本出願の空気調和機の室内機は冷房、暖房及び無風機能を同時に備え、ユーザーにより多くのモード選択肢を提供し、ユーザーの体験の快適さを効果的に向上させることができる。
【図面の簡単な説明】
【００２４】
本出願の実施例又は従来技術の技術的手段をより明確に説明するために、以下、実施例又は従来技術の説明で使用される図面について簡単に説明し、明らかに、以下の説明における図面は本出願のいくつかの実施例にすぎず、当業者はいかなる創造的な作業もすることなく、これらの図面に示された構造に従って他の図面を得ることができる。
【図１】図１は本出願による空気調和機用室内機の実施例の概略構造図である。
【図２】図２は冷房モードにおける図１の空気調和機用室内機の概略図である。
【図３】図３は暖房モードにおける図１の空気調和機用室内機の概略図である。
【図４】図４は無風感の第１段階における図１の空気調和機用室内機の概略図である。
【図５】図５は無風感の第２段階における図１の空気調和機用室内機の概略図である。
【図６】図６は、無風感の第３段階における図１の空気調和機用室内機の概略図である。
【図７】図７は第２ウィンドデフレクターの一実施例の概略構造図である。
【図８】図８は図７のVIII-VIII線に沿う概略断面図である。
【図９】図９は第３ウィンドデフレクターの一実施例の概略構造図である。
【図１０】図１０は本出願による空気調和機用室内機の制御方法のフローチャートである。
【図１１】図１１は空気調和機用室内機の無風感モードの制御方法を示すフローチャートである。
【発明を実施するための形態】
【００２５】
本出願の目的の達成、機能的特徴及び利点を、実施例、添付の図面を参照してさらに説明する。
【００２６】
以下、本出願の実施例における添付の図面を参照しながら、本出願の実施例における技術的手段を明確かつ完全に説明するが、記載された実施例は本出願の実施例の一部にすぎず、それらの全てではないことが明らかである。本出願の実施例に基づいて、創造的な努力なしに当業者によって得られる他の全ての実施例は、本出願の保護範囲内にある。
【００２７】
なお、本出願の実施例において、方向指示（例えば、上、下、左、右、前、後……）がある場合、該方向指示は、特定の姿勢（図に示すように）における各部材間の相対的な位置関係、運動状況などを説明するためだけに使用され、該特定の姿勢が変わると、それに応じて該方向指示も変わる。
【００２８】
また、本出願の実施例において、「第１」、「第２」などに関する記載がある場合、該「第１」、「第２」などの記載は、説明のみを目的としており、相対的な重要性を示すもしくは暗示するか、又は示される技術的特徴の数を暗黙的に示すと理解されるべきではない。したがって、「第１」、「第２」と限定される特徴は、少なくとも１つの該特徴を明示的又は暗黙的に含んでもよい。また、各実施例間の技術的手段は互いに組み合わせることができるが、当業者が実施できるものに基づいていなければならず、技術的手段の組み合わせが矛盾するか又は実施不能である場合、このような技術的手段の組み合わせは存在せず、それはまた、本出願によって要求される保護範囲内でもないと考えるべきである。
【００２９】
本出願は空気調和機の室内機を提供する。
【００３０】
本出願の実施例において、図1から図6に示すように、該空気調和機の室内機は具体的には壁掛け式空気調和機用室内機に関し、該空気調和機の室内機はハウジング１００、第１ウィンドデフレクター１２０、第２ウィンドデフレクター１３０及び第３ウィンドデフレクター１４０を備える。前記ハウジング１００内にダクト１１０が形成され、前記ダクト１１０の吹き出し口に前壁面１１１及び後壁面１１２が対向配置される。前記第１ウィンドデフレクター１２０は第１ピボット１２１で前記ハウジング１００に回転可能に設けられ、前記第１ピボット１２１が前記後壁面１１２に隣接して配置される。前記第２ウィンドデフレクター１３０は第２ピボット１３１で前記ハウジング１００に回転可能に設けられ、前記第２ピボット１３１が前記第１ピボット１２１と前記前壁面１１１との間に設けられ、前記第２ピボット１３１に隣接する前記第２ウィンドデフレクター１３０の縁部が前記第１ピボット１２１から離れた前記第１ウィンドデフレクター１２０の縁部と接触するようになっている。前記第３ウィンドデフレクター１４０は，第３ピボット１４１でハウジング１００に回転可能に設けられ、前記第３ピボット１４１が前記前壁面１１１に隣接して配置され、前記第３ウィンドデフレクター１４０の厚み方向に沿って複数の散気孔１４２が設けられる。
【００３１】
本実施例において、ハウジング１００は空気調和機の室内機の全体的な外観を形成し、ハウジング１００はシャーシ、フレーム及びパネルを含み、ハウジング１００に吸い込み口が設けられ、ハウジング１００内部にダクト１１０が形成され、ハウジング１００内にさらに熱交換器アセンブリ及びファンなどが設けられ、外部空気が吸い込み口からハウジング１００に入り、熱交換器により熱交換して、ファンの作用の下で、ダクト１１０の吹き出し口を介して送り出される。具体的には、第１ウィンドデフレクター１２０が第１ピボット１２１によってハウジング１００に回転可能に取り付けられ、なお、第１ピボット１２１は第１ウィンドデフレクター１２０の長手方向に沿って延在する長軸であってもよく、第１ウィンドデフレクター１２０の長手方向の両側に設けられる短軸であってもよく、又は他の様式の回転軸であってもよく、第１ウィンドデフレクター１２０をハウジング１００に回転可能に接続するだけでよい。同様に、第２ピボット１３１、第３ピボット１４１の具体的な構造は第１ピボット１２１を参照することができ、ここで特に限定されない。
【００３２】
オフ状態では、図１に示すように、第３ウィンドデフレクター１４０がハウジング１００のダクト１１０内に設けられ、第１ピボット１２１から離れた第１ウィンドデフレクター１２０の縁部が第２ピボット１３１に隣接する第２ウィンドデフレクター１３０の縁部と接触する。第１ウィンドデフレクター１２０及び第２ウィンドデフレクター１３０の協働により吹き出し口を閉じて、吹き出し口からの埃の侵入を防ぐことができるとともに、空気調和機の室内機全体をより美しくすることができる。
【００３３】
冷房モードの場合、図2に示すように、第１ウィンドデフレクター１２０がダクト１１０の後壁面１１２の接線方向の延長面とほぼ一致する位置まで回転し、ダクト１１０を延長したと同等で、吹き出し口の圧力を効果的に増加し、送風距離をより遠くすることができる。なお、上記接線方向の延長面は仮想平面であり、ダクト１１０の後壁面１１２の縁部と接して延在する平面を指す。冷房モードでは、第１ウィンドデフレクター１２０は該接線方向の延長面と重なり合わせることが好ましいが、実際の使用中に、第１ウィンドデフレクター１２０は該接線方向の延長面の近傍で所定の角度で揺動してもよく、ここで特に限定されない。第２ウィンドデフレクター１３０は第１ウィンドデフレクター１２０と実質的に平行な位置まで回転可能であり、その結果、ダクト１１０をさらに延長し、送風距離を増加することができる。もちろん、第２ウィンドデフレクター１３０はまた、風向きを変えるために吹き出し口の気流吹き出し領域内で揺動してもよく、それによってユーザの異なるニーズを満たす。第３ウィンドデフレクター１４０が気流に対する抵抗を発生しないようにするために、冷房モードでは、第３ウィンドデフレクター１４０はダクト１１０の前壁面１１１に密着して設けられることが好ましい。
【００３４】
暖房モードの場合、図３に示すように、第１ウィンドデフレクター１２０、第２ウィンドデフレクター１３０及び第３ウィンドデフレクター１４０をほぼ垂直となる位置まで回転して気流を下方へ吹き出し、暖かい気流を最大限に床面に届けることができる。暖かい気流は低い密度で上昇するため、ユーザーによりよい暖房体験を与え、「足下の暖め」機能を達成することができる。また、暖房モードでは、第１ウィンドデフレクター１２０を床面に対して略垂直に保ち、第２ウィンドデフレクター１３０と第３ウィンドデフレクター１４０とを平行に揺動させて風向きを変え、暖かい気流をより遠く届けることができる。
【００３５】
無風感モードの場合、図４から図６に示すように、第１ウィンドデフレクター１２０及び第２ウィンドデフレクター１３０が互いに協働して水平方向に気流を吹き出し、気流が体に直接当たることを避け、第３ウィンドデフレクター１４０の位置を調整することにより、第３ウィンドデフレクター１４０の散気孔１４２の分散作用によって気流を和らげ、真の無風感を達成し、ユーザーによりよい無風感体験を与える。
【００３６】
本出願の技術的手段は空気調和機の室内機のハウジング１００に第１ウィンドデフレクター１２０、第２ウィンドデフレクター１３０及び第３ウィンドデフレクター１４０を設け、第１ウィンドデフレクター１２０、第２ウィンドデフレクター１３０及び第３ウィンドデフレクター１４０間の協働により、空気調和機が冷房モード、暖房モード及び無風感モードでよりよい使用効果を達成させ、ユーザー体験を改善させることができる。具体的には、冷房モードでは、第１ウィンドデフレクター１２０がダクト１１０の後壁面１１２の接線方向の延長面とほぼ一致する位置まで回転可能であり、ダクト１１０を延長したと同等で、送風距離を効果的に増加し、よりよい冷房効果を達するとともに、異なる体験を満たすために、ユーザーは必要に応じて第２ウィンドデフレクター１３０の運転状態を設定することができる。暖房モードでは、第１ウィンドデフレクター１２０、第２ウィンドデフレクター１３０及び第３ウィンドデフレクター１４０は互いに協働して気流を下方へ吹き出し可能であり、暖かい気流をできる限り床面へガイドし、足元を暖める。無風感モードでは、第１ウィンドデフレクター１２０、第２ウィンドデフレクター１３０及び第３ウィンドデフレクター１４０は互いに協働して水平方向に気流を吹き出し、体に直接当てることなく、さらに第３ウィンドデフレクター１４０の回転位置を調整して、気流を第３ウィンドデフレクター１４０の散気孔１４２から吹き出し、よりよい無風感機能を達成することができる。本出願による空気調和機の室内機は冷房、暖房及び無風機能を効果的に両立させ、ユーザーにより多くのモード選択肢を与え、ユーザーの快適さを効果的に向上させることができる。
【００３７】
さらに、前記第２ウィンドデフレクター１３０は風ガイド部１３２、及び前記風ガイド部１３２の前記第２ピボット１３１に近い側に設けられる尾翼１３３を含み、前記尾翼１３３と前記風ガイド部１３２とが階段状に配置されてキャビティ１３４を形成し、前記第１ウィンドデフレクター１２０の先端が前記キャビティ１３４内まで回転することができる。
【００３８】
具体的には、本実施例において、図７及び図８に示すように、第２ウィンドデフレクター１３０を航空機フレームのような構造に設け、第２ウィンドデフレクター１３０が風ガイド部１３２及び尾翼１３３を含み、尾翼１３３と風ガイド部１３２とが階段状に配置されてキャビティ１３４を形成する。したがって、無風感モードでは、第１ウィンドデフレクター１２０の先端がキャビティ１３４内まで回転し、第２ウィンドデフレクター１３０の尾翼１３３と当接し、第１ウィンドデフレクター１２０と第２ウィンドデフレクター１３０とを気密的に係合し、気流が両者間の隙間から漏れて無風感効果に影響を与えることを避ける。
【００３９】
さらに、前記第２ピボット１３１から離れた前記風ガイド部１３２の側縁と前記第２ピボット１３１に隣接する前記風ガイド部１３２の側縁との間の幅はＷであり、ここで、Ｗ∈［１００ｍｍ，３００ｍｍ］である。本実施例において、第２ウィンドデフレクター１３０は延長型デザインを採用し、冷房モードでは、気流が第２ウィンドデフレクター１３０を通過するとき、気流のコアンダ効果でより遠く送られる。暖房モードでは、コアンダ効果の影響下で気流をより多く床面に向けてガイドすることができ、それによって冷房及び暖房効果を効果的に改善させる。風ガイド部１３２の幅は１００ｍｍ、２００ｍｍ、３００ｍｍなどであってもよく、風ガイド部１３２が広いほど、そのダクト１１０の延長効果がよくなり、実際の使用中に製造コスト及び空気調和機の室内機の具体的なサイズを配慮して設定する必要がある。
【００４０】
さらに、前記第１ピボット１２１から離れた前記第１ウィンドデフレクター１２０の一端に第１傾斜面１２２が設けられ、前記第１傾斜面１２２は前記第１ウィンドデフレクター１２０の風上側から、前記第１ピボットから斜めに離れて延在してなり、前記第２ピボット１３１に隣接する前記第２ウィンドデフレクター１３０の一端に前記第１傾斜面１２２と合わせた第２傾斜面１３５が設けられる。本実施例において、図２及び図５に示すように、第１ウィンドデフレクター１２０の先端に第１傾斜面１２２が設けられ、第２ウィンドデフレクター１３０の後端に第２傾斜面１３５が設けられ、第２傾斜面１３５が第１傾斜面１２２と平行に配置されるので、無風感モードでは、第１ウィンドデフレクター１２０及び第２ウィンドデフレクター１３０が、互いに平行となる第１傾斜面１２２及び第２傾斜面１３５の協働により気密的に係合され、空気漏れを防ぎ、無風感体験をさらに強化させる。
【００４１】
さらに、前記第１ピボット１２１は前記後壁面１１２の接線方向の延長面に設けられるか、又は前記第１ピボット１２１は前記後壁面１１２の接線方向の延長面の前記前壁面１１１とは反対側に設けられる。具体的には、本実施例において、第１ピボット１２１を後壁面１１２の接線方向の延長面に設けるか、又は第１ピボット１２１を前記後壁面１１２の接線方向の延長面の前記前壁面１１１とは反対側に設けることにより、第１ピボット１２１とダクト１１０の吹き出し口の縁部との間の隙間をできる限り小さくし、これにより、気流が上記隙間から漏れることを効果的に防止し、ユーザー体験に影響を与えることはない。好ましくは、第１ピボット１２１を後壁面１１２の接線方向の延長面の前壁面１１１とは反対側に設け、第１ウィンドデフレクター１２０の後側縁と後壁面１１２の吹き出し縁部との間に位置ずれが生じているので、第１ウィンドデフレクター１２０とダクト１１０の吹き出し口との間の隙間を効果的に減少させて、空気漏れを防止することができるとともに、第１ウィンドデフレクター１２０が後壁面１１２の接線方向の延長面とほぼ一致する位置まで回転して、ダクト１１０を延長し、送風距離を増加させることを確保した。
【００４２】
空気調和機が運転するとき、第１ウィンドデフレクター１２０及び第２ウィンドデフレクター１３０が吹き出し口から吹き出す気流と直接接触するため、第１ウィンドデフレクター１２０及び第２ウィンドデフレクター１３０の両側の温度差がより大きくなり、第１ウィンドデフレクター１２０及び第２ウィンドデフレクター１３０の表面に結露が生じやすく、ユーザーの使用の快適さに影響を与える。この問題を解決するために、前記第１ウィンドデフレクター１２０及び／又は前記第２ウィンドデフレクター１３０にさらに断熱層１５０が設けられる。好ましくは、断熱層１５０は第１ウィンドデフレクター１２０及び第２ウィンドデフレクター１３０の風上側に設けられ、結露の発生を効果的に避けることができる。断熱層１５０は、ミネラルウール、ロックウール、グラスウールなどの無機繊維材料で作られてもよく、又はポリエチレン（PE）発泡体、ポリスチレン（PS）発泡体、ポリウレタン（PU）発泡体などの有機断熱材料で作られてもよい。また、断熱層１５０は第１ウィンドデフレクター１２０及び第２ウィンドデフレクター１３０の内部に設けられてもよい。
【００４３】
さらに、前記前壁面１１１に収容溝１１４が凹んで配置され、前記第３ウィンドデフレクター１４０が前記前壁面１１１に回転可能に接続され、かつ前記収容溝１１４内に収容可能である。本実施例において、収容溝１１４を設けることにより、冷房モードでは、第３ウィンドデフレクター１４０が収容溝１１４内に収容可能であり、気流に対して抵抗を発生することを避け、気流の吹き出しに影響を与えない。収容溝１１４の深さは第３ウィンドデフレクター１４０の厚さによって設けられてもよく、好ましくは第３ウィンドデフレクター１４０が収容溝１１４内に回転するとき、収容溝１１４の切欠き縁が、第３ウィンドデフレクター１４０の外面とほぼ面一であるか、又は第３ウィンドデフレクター１４０が収容溝１１４内に完全に隠れている。
【００４４】
さらに、無風感効果を効果的に改善するために、図９に示すように、複数の前記散気孔１４２がマトリックス状に配置されており、前記第３ウィンドデフレクター１４０の幅方向に隣り合う２列の前記散気孔１４２が、長手方向に千鳥状に配置されている。散気孔１４２が千鳥状に配置されているため、散気孔１４２を通過した後に気流が乱れ、干渉が生じて風速がさらに下げられ、気流を和らげる。散気孔１４２の形状は様々であるが、好ましくは円形又は細長い形状であり、もちろん、散気孔１４２は菱形、正方形などでもよい。
【００４５】
以下、図１から図１１を参照しながら本出願の実施例による空気調和機の室内機の制御方法について詳細に説明し、ここで、空調室内機は本出願の上記実施例に係る空調室内機であり、前記空調室内機は無風感モード、冷房モード、暖房モードを含み、該空調室内機の具体的な構造については、上記実施例を参照してもよく、ここでの説明を省略する。
【００４６】
図１０に示すように、本出願の実施例による空気調和機の室内機の制御方法は、以下のとおりである。
【００４７】
まず、空気調和機の室内機を起動して、気流吹き出しモードを選択する。具体的には、空気調和機の室内機のパネル又は空気調和機のリモコンに複数のボタンが設けられ、ボタンによって異なる気流吹き出しモードを選択する。
【００４８】
無風感モードを選択する場合、前記第１ウィンドデフレクター１２０及び前記第２ウィンドデフレクター１３０が回転して、水平方向に気流を吹き出す。具体的には、図４に示すように、第１ウィンドデフレクター１２０及び第２ウィンドデフレクター１３０が水平面と略平行な位置に回転することで、水平方向に気流を吹き出すことができ、それによって気流が体に直接当たることを防ぎ、ユーザーの風感体験を効果的に低減する。
【００４９】
冷房モードを選択する場合、前記第１ウィンドデフレクター１２０が回転し、気流を前記第２ウィンドデフレクター１３０にガイドする。具体的には、図２に示すように、第１ウィンドデフレクター１２０がダクト１１０の後壁面１１２の接線方向の延長面とほぼ一致する位置まで回転し、第１ウィンドデフレクター１２０の後端がダクト１１０の後壁面１１２とずれて係合され、ダクト１１０を延長したと同等で、吹き出し口の圧力を効果的に増加し、送風距離をより遠くすることができる。なお、このモードでは、第２ウィンドデフレクター１３０は第１ウィンドデフレクター１２０と実質的に平行な位置まで回転可能であり、その結果、ダクト１１０をさらに延長し、送風距離を増加することができる。第２ウィンドデフレクター１３０はまた、風向きを変えるために吹き出し口の吹き出し領域内で揺動してもよく、それによってユーザの異なるニーズを満たす。第３ウィンドデフレクター１４０が気流に対する抵抗を発生しないようにするために、冷房モードでは、第３ウィンドデフレクター１４０はダクト１１０の前壁面１１１に密着して設けられることが好ましい。
【００５０】
暖房モードを選択する場合、前記第１ウィンドデフレクター１２０及び前記第２ウィンドデフレクター１３０が回転し、气流を下方へ吹き出す。具体的には、図３に示すように、第１ウィンドデフレクター１２０、第２ウィンドデフレクター１３０及び第３ウィンドデフレクター１４０がほぼ垂直となる位置まで回転して気流を下方へ吹き出し、暖かい気流を最大限に床面に届けることができる。暖かい気流は低い密度で上昇し、ユーザーによりよい暖房体験を与え、「足元の暖め」機能を達成することができる。また、このモードでは、第１ウィンドデフレクター１２０を床面に対して略垂直に保ち、暖かい気流を下方へ流動させるとともに、第２ウィンドデフレクター１３０と第３ウィンドデフレクター１４０とを平行に揺動させて風向きを変え、暖かい気流をより遠く送ることができる。
【００５１】
さらに、前記空気調和機の室内機の無風感モードは少なくとも無風感の第１段階を含み、無風感の第１段階では、前記第１ウィンドデフレクター１２０及び前記第２ウィンドデフレクター１３０を回転して、前記第２ウィンドデフレクター１３０の上下両側に２つの通風路が形成され、前記空気調和機の室内機はさらに検出制御ユニットを備え、前記検出制御ユニットが室内の温度又は湿度を検出し、プリセット条件に従って対応する無風感段階に入るように前記空調室内機を制御する。
【００５２】
具体的には、図４に示すように、無風感ボタンを選択する場合、空気調和機の室内機が自動的に無風感の第１段階に入り、このとき、第１ウィンドデフレクター１２０及第２ウィンドデフレクター１３０も水平方向と略平行な位置まで回転することで、第２ウィンドデフレクター１３０の上下両側に２つの通風路が形成され、水平方向に気流を吹き出すことができる。この段階では、風を体に直接当てることなく、ユーザーの風感体験を低減するとともに、室内温度がユーザーのニーズを満たすように、気流が特定の吹き出し風量を維持することを確保することができる。もちろん、無風感モードはさらに他の複数の段階を含んでもよく、空気調和機の室内機は検出制御ユニットによって室内の温度又は湿度を検出し、検出制御ユニットの制御下で対応する無風感段階を自動的に選択して移行し、ユーザーに最適な無風体験を提供する。検出制御ユニットは温度又は湿度センサであってもよい。
【００５３】
さらに、前記空気調和機の室内機の無風感モードはさらに無風感の第２段階を含み、無風感の第２段階では、前記第１ウィンドデフレクター１２０を上へ回転し、前記第１ウィンドデフレクター１２０の先端と前記第２ウィンドデフレクター１３０の後端とを気密的に係合させる。
【００５４】
具体的には、図５に示すように、無風感の第２段階では、第１ウィンドデフレクター１２０は上へ回転して、第２ピボット１３１に隣接する第２ウィンドデフレクター１３０の縁部と当接して気密的に係合し、第２ウィンドデフレクター１３０の下側の通風路を閉じて、気流の吹き出しをさらに低減し、ユーザーの風感体験をさらに低減させる。
【００５５】
さらに、前記空気調和機の室内機の無風感モードはさらに無風感の第３段階を含み、無風感の第３段階では、前記第３ウィンドデフレクター１４０は風の流れ面まで下方へ回転する。
【００５６】
具体的には、図６に示すように、無風感の第３段階では、第３ウィンドデフレクター１４０は風の流れ面まで回転し、好ましくは、第３ウィンドデフレクター１４０が吹き出し方向と垂直になるように回転し、第２ウィンドデフレクター１３０の上側の通風路を遮断し、そのため、第３ウィンドデフレクター１４０の散気孔１４２から気流を送り出す必要があり、したがって、散気孔１４２の分散作用により、送り出した気流がより分散され、より和らげられ、その結果、ユーザーに本当の無風感体験を与えることができる。
【００５７】
さらに、ユーザーは必要に応じて室内側で最後に達成するプリセット条件を設定することができ、該プリセット条件が室内側の温度及び／又は湿度であってもよく、空気調和機の室内機がユーザーのプリセット条件に応じて、対応する無風感段階を自動的に選択することができる。図１１に示すように、空気調和機の室内機の無風感モードの制御方法は、以下のとおりである。
【００５８】
無風感モードを選択する場合、空気調和機の室内機が無風感の第１段階に自動的に入る。この段階では、気流を平行に吹き出しながらも、一定の風力を維持し、室内の温度又は湿度に対してより強い調整効果を維持し、室内環境をできる限り早くユーザーのプリセット条件を満たすようにする。
【００５９】
検出制御ユニットは、室内温度又は湿度が第１プリセット条件に達したと検出した場合、前記検出制御ユニットは無風感の第２段階に入るように前記空気調和機の室内機を制御する。具体的には、この段階では、気流の吹き出し量をさらに削減し、ユーザーの風感体験をさらに低減させる。
【００６０】
検出制御ユニットは、室内温度又は湿度が前記第１プリセット条件を満たさないと検出した場合、前記検出制御ユニットは無風感の第１段階に戻すように前記空気調和機の室内機を制御する。
【００６１】
検出制御ユニットは、室内温度又は湿度が第２プリセット条件に達したと検出した場合、前記検出制御ユニットは無風感の第３段階に入るように前記空気調和機の室内機を制御する。この段階では、室内の温度又は湿度がユーザーのプリセット条件にほぼ一致しており、室温を保持するとともに、風力をさらに低下し、第３ウィンドデフレクター１４０の散気孔１４２から気流を送り出し、散気孔１４２の分散作用で、送り出した気流がより分散され、より和らげられ、その結果、ユーザーに本当の無風体験を与えることができる。
【００６２】
なお、無風感モードに入った後、無風感の第１段階を途中で終了することができず、無風感の第２段階及び無風感の第３段階は途中で終了することができる。
【００６３】
さらに、気流を吹き出すときに、抵抗を小さくするために、無風感の第１段階では、前記第３ウィンドデフレクター１４０は前記前壁面１１１に密着して設けられる。好ましくは、ダクト１１０の前壁面１１１に収容溝１１４が設けられ、第３ウィンドデフレクターが収容溝１１４内に収容可能である。同様に、冷房モード及び無風感の第２段階では、風抵抗を低下させるために、第３ウィンドデフレクター１４０は前壁面１１１に密着して設けられることが好ましい。
【００６４】
上記の説明は本出願の好ましい実施例にすぎず、それによって本出願の特許範囲を限定するものではなく、本出願の発明概念の下において、本出願の明細書及び図面の内容によって行われる等価な構造上の変換、又は他の関連技術分野における直接／間接の使用は、本出願の特許保護範囲に含まれる。
【符号の説明】
【００６５】
１００  ハウジング
１１０  ダクト
１１１  前壁面
１１２  後壁面
１１４  収容溝
１２０  第１ウィンドデフレクター
１２１  第１ピボット
１２２  第１傾斜面
１３０  第２ウィンドデフレクター
１３１  第２ピボット
１３２  風ガイド部
１３３  尾翼
１３４  キャビティ
１３５  第２傾斜面
１４０  第３ウィンドデフレクター
１４１  第３ピボット
１４２  散気孔
１５０  断熱層
【図１】
0006837548.tif 000002
【図２】
0006837548.tif 000003
【図３】
0006837548.tif 000004
【図４】
0006837548.tif 000005
【図５】
0006837548.tif 000006
【図６】
0006837548.tif 000007
【図７】
0006837548.tif 000008
【図８】
0006837548.tif 000009
【図９】
0006837548.tif 000010
【図１０】
0006837548.tif 000011
【図１１】
0006837548.tif 000012